(57)【要約】【課題】電線を予め定められた形状で保持する配線具を備えるワイヤハーネスにおいて、配線具への配線工数を簡素化でき、さらに、多様な要求仕様に対して柔軟に適応可能にすること。【解決手段】配線具１０は、凹凸をなす板状に成形された基体１及び基体１の配線空間９０を覆う被覆体２を備える。基体１において、底板をなす配線部１１上の配線空間９０を囲んで隆起して形成された外枠部１８は、内縁の段差部１２Ａと中間板部１３と外縁の段差部１２Ｂとを有する。内縁の段差部１２Ａから外側へ張り出した中間板部１３には、電線９における配線部１１からその外側へ亘る部分に取り付けられた電線固定具９２，８の数以上の複数の電線固定用貫通孔１４が並んで形成されている。【選択図】図２
2013123294.tif 000002
【特許請求の範囲】
【請求項１】
電線と、
前記電線の一部を収容する配線空間を形成する凹凸をなす板状の基体、及び前記基体と組み合わされて前記配線空間を覆う板状の被覆体を備える配線具と、
前記電線に取り付けられ、前記配線具における電線固定用貫通孔が形成された部分に固定された電線固定具と、を備えるワイヤハーネスであって、
前記配線具の前記基体は、
前記配線空間に面する底板部と、
前記底板部の外縁に沿って前記底板部から起立した内縁の段差部、該内縁の段差部から外側へ張り出した部分であり、前記電線における前記底板部からその外側へ亘る部分に取り付けられた前記電線固定具の数以上の複数の前記電線固定用貫通孔が並んで形成された中間板部、及び該中間板部の外縁に沿う外縁の段差部を有し、前記配線空間を囲んで隆起して形成された外枠部と、を備えることを特徴とするワイヤハーネス。
【請求項２】
前記配線具の前記基体において、複数の前記電線固定用貫通孔は、前記外枠部における前記底板部の全周囲を取り囲む範囲に亘って並んで形成されている、請求項１に記載のワイヤハーネス。
【請求項３】
前記配線具の前記基体における前記外枠部の前記内縁の段差部に、前記底板部から複数の前記電線固定用貫通孔各々へ亘る前記電線の通路をなす複数の溝状の部分が形成されている、請求項１又は請求項２に記載のワイヤハーネス。
【請求項４】
前記電線固定具は、
前記電線の端部に取り付けられたコネクタ及び該コネクタから突出して形成され、前記基体の前記外枠部における前記電線固定用貫通孔が形成された部分に固定された留め具を有する留め具付コネクタと、
前記電線に巻き付けられたベルト、該ベルトを環状に保持するベルト保持部及び該ベルト保持部から突出して形成された前記留め具を有するベルト付留め具と、の一方又は両方を含む、請求項１から請求項３のいずれかに記載のワイヤハーネス。
【請求項５】
前記配線具の前記基体及び前記被覆体は、平板状の樹脂部材の真空成形により得られた部材である、請求項１から請求項４のいずれかに記載のワイヤハーネス。
【請求項６】
電線の一部を収容する配線空間を形成する凹凸をなす板状の基体と、
前記基体と組み合わされて前記配線空間を覆う板状の被覆体と、を備える配線具であって、
前記基体は、
前記配線空間に面する底板部と、
前記配線空間を囲んで隆起して形成され、前記底板部の外縁に沿って前記底板部から起立した内縁の段差部と該内縁の段差部から外側へ張り出した部分であり、電線固定具の一部が挿入される複数の電線固定用貫通孔が並んで形成された中間板部と該中間板部の外縁に沿う外縁の段差部とを有する外枠部と、を備えることを特徴とする配線具。
【発明の詳細な説明】
【技術分野】
【０００１】
本発明は、電線を予め定められた形状で保持する配線具及びそれを備えたワイヤハーネスに関する。
【背景技術】
【０００２】
自動車などの車両に搭載されるワイヤハーネスは、電線に取り付けられた樹脂製の配線具を備え、電線がその配線具によって予め定められた経路に沿って保持された状態で敷設されることが多い。例えば、従来の一般的なワイヤハーネスにおいて、電線は、粘着テープ又はベルト部材などの結束材によって板状又は棒状の樹脂部材に固定される。これにより、電線は、予め定められた形状で保持される。
【０００３】
また、特許文献１に示されるワイヤハーネスは、電線束を挟み込む状態で熱プレスによって固着された２つの板状の樹脂部材からなる配線具を備える。一方の樹脂部材は、平板状の基部と基部から起立するリブとからなる基体である。他方の樹脂部材は、基体のリブが挿入される貫通孔が形成され、基体に重ねられた状態で基体の基部に固着される平板状の被覆体である。
【０００４】
特許文献１に示されるワイヤハーネスにおいて、電線は、基体と被覆体との間に挟み込まれる。また、特許文献１に示される配線具において、電線は、基体の平坦部から突出する複数のリブの間に配置される。基体のリブは、配線経路の両側に形成され、配線のガイド部として機能する。
【０００５】
ところで、ワイヤハーネスの形状において特に重要なことは、各電線が、接続相手に近い予め定められた位置から予め定められた長さで存在することである。ここで、接続相手は、電装機器又は他の電線の端部に設けられたコネクタなどである。
【０００６】
例えば、自動車の座席の下側に配置されるワイヤハーネスにおいては、各電線の端部のコネクタが、座席駆動用のモータなどの機器又は他の電線のコネクタに対して過不足なく届くように、各電線における端部のコネクタまたは端部まで所定の長さを余した中間の部位が、予め定められた位置に固定されることが重要である。
【０００７】
一方、ワイヤハーネスにおいて、固定位置に至るまでの途中の電線の経路は、比較的許容範囲の広い既定の領域内に収まっていればよいことがある。例えば、自動車の座席の下側に配置されるワイヤハーネスにおいては、各電線における固定位置に至るまでの途中の部分は、座席駆動用のモータなどの機器と座席との間の空間内に収まっていれば、任意の経路での配線が許容される。
【先行技術文献】
【特許文献】
【０００８】
【特許文献１】特開２０１０−２７２４２号公報
【発明の概要】
【発明が解決しようとする課題】
【０００９】
特許文献１の配線具が採用される場合、弾性を有する電線は、基体の平坦部から浮き上がって基体のリブと重なる状態になりやすい。特許文献１の配線具において、基体の表面から浮き上がった電線がリブと重なると、基体に対して被覆体を適切に重ねることができなくなる。
【００１０】
従って、特許文献１の配線具が採用される場合、電線がリブと重ならないように電線を基体に対して押さえ込みつつ配線するという煩雑な作業が必要となる。即ち、特許文献１の配線具は、煩雑な配線作業を要するという問題点を有している。
【００１１】
また、特許文献１の配線具が採用される場合、ワイヤハーネスを構成する複数の電線各々の固定位置の要求仕様に応じて、多くの種類の配線具が用意される必要がある。そのため、特許文献１の配線具は、多様な要求仕様への適応性に劣るという問題点を有している。
【００１２】
また、従来の一般的なワイヤハーネスにおいては、要求仕様ごとに異なる図板などの大型の治具と、コルゲートチューブなどの多くの樹脂部材と、その樹脂部材に電線を固定するための多くの結束材と、多くの部材を電線に取り付けるための煩雑な作業とが必要となる。
【００１３】
以上に示したように、従来の配線具及びワイヤハーネスは、電線を多様な要求仕様に応じた形状で保持しつつ保護するために、多くの部品、それらを取り扱う煩雑な作業及び大がかりな道具を必要とするという問題点を有している。
【００１４】
本発明は、電線を予め定められた形状で保持する配線具を備えるワイヤハーネスにおいて、配線具への配線工数を簡素化でき、さらに、多様な要求仕様に対して柔軟に適応可能にすることを目的とする。
【課題を解決するための手段】
【００１５】
本発明の第１の態様に係るワイヤハーネスは、電線と、前記電線の一部を収容する配線空間を形成する凹凸をなす板状の基体、及び前記基体と組み合わされて前記配線空間を覆う板状の被覆体を備える配線具と、前記電線に取り付けられ、前記配線具における電線固定用貫通孔が形成された部分に固定された電線固定具と、を備える。さらに、第１の態様に係るワイヤハーネスにおいて、前記配線具の前記基体は、底板部及び外枠部を備える。前記底板部は、前記配線空間に面する部分である。前記外枠部は、前記配線空間を囲んで隆起して形成された部分であり、内縁の段差部と中間板部と外縁の段差部とを有する。前記内縁の段差部は、前記底板部の外縁に沿って前記底板部から起立した段差部である。前記中間板部は、前記内縁の段差部から外側へ張り出した部分であり、前記電線における前記底板部からその外側へ亘る部分に取り付けられた前記電線固定具の数以上の複数の前記電線固定用貫通孔が並んで形成された部分である。前記外縁の段差部は、前記中間板部の外縁に沿う段差部である。
【００１６】
また、本発明の第２の態様に係るワイヤハーネスは、第１の態様に係るワイヤハーネスの一態様である。第２の態様に係るワイヤハーネスにおける前記配線具の前記基体において、複数の前記電線固定用貫通孔は、前記外枠部における前記底板部の全周囲を取り囲む範囲に亘って並んで形成されている。
【００１７】
また、本発明の第３の態様に係るワイヤハーネスは、第１の態様又は第２の態様に係るワイヤハーネスの一態様である。第３の態様に係るワイヤハーネスにおいて、前記配線具の前記基体における前記外枠部の前記内縁の段差部に、前記底板部から複数の前記電線固定用貫通孔各々へ亘る前記電線の通路をなす複数の溝状の部分が形成されている。
【００１８】
また、本発明の第４の態様に係るワイヤハーネスは、第１の態様から第３の態様のいずれかに係るワイヤハーネスの一態様である。第４の態様に係るワイヤハーネスにおいて、前記電線固定具は、留め具付コネクタ及びベルト付留め具のうちの一方又は両方を含む。前記留め具付コネクタは、前記電線の端部に取り付けられたコネクタと、そのコネクタから突出して形成され、前記基体の前記外枠部における前記電線固定用貫通孔が形成された部分に固定された留め具と、を有する部材である。また、前記ベルト付留め具は、前記電線に巻き付けられたベルトと、そのベルトを環状に保持するベルト保持部と、そのベルト保持部から突出して形成された前記留め具と、を有する部材である。
【００１９】
また、本発明の第５の態様に係るワイヤハーネスは、第１の態様から第４の態様のいずれかに係るワイヤハーネスの一態様である。第５の態様に係るワイヤハーネスにおいて、前記配線具の前記基体及び前記被覆体は、平板状の樹脂部材の真空成形により得られた部材である。
【００２０】
また、本発明は、本発明の各態様に係るワイヤハーネスが備える配線具の発明として捉えられてもよい。
【発明の効果】
【００２１】
本発明において、電線は、配線具を構成する基体及び被覆体の間に挟み込まれるとともに、基体の電線固定用貫通孔の部分に固定された電線固定具によって、基体の外枠部における予め定められた位置に固定される。
【００２２】
従って、本発明に係る配線具が取り付けられた電線において、電線固定具で固定された部分は一定の位置に保持され、さらに、電線固定具で固定された部分から末端側の部分の長さは一定の長さで保持される。即ち、電線の端部が接続相手に対して過不足なく届くように、電線の形状が配線具によって保持される。また、電線は、基体及び被覆体によって保護される。
【００２３】
また、本発明に係るワイヤハーネスにおいて、電線における基体の底板部上に配置された部分、即ち、基体の外枠部に至るまでの途中の部分は、基体の底板部と被覆体との間の広い配線空間内に収容される。
【００２４】
従って、電線を基体の底板部上に配置する作業において、底板部上の任意の経路での配線が許容され、電線が底板部から浮き上がっていても、被覆体を基体に重ねて押し付けるだけで、電線は基体の底板部と被覆体との間の配線空間に収容される。即ち、基体の底板部から浮き上がる電線を底板部に対して押さえ込みつつ電線を配線するという煩雑な作業は不要である。
【００２５】
また、電線における固定を要する部分に取り付けられた電線固定具が、基体の外枠部における予め定められた位置の電線固定用貫通孔の部分に固定された後、被覆体が基体に組み合わされるだけで、電線に対する配線具の取り付けが完了する。従って、本発明によれば、電線を予め定められた形状に保持するための部材及び作業と、電線の被保護部（中間部分）を覆うための部材及び作業とが簡素化される。
【００２６】
また、基体の外枠部において、内縁の段差部及び外縁の段差部は、基体全体の剛性、特に、外枠部の剛性を高める補強部として機能する。本発明に係るワイヤハーネスにおいて、電線固定具は、そのような剛性の高い基体の外枠部に固定される。そのため、本発明に係るワイヤハーネスの配線具は、電線を一定の形状に保持する性能が高い。
【００２７】
さらに、本発明に係るワイヤハーネスの配線具において、電線固定具の数以上の複数の電線固定用貫通孔が、基体の外枠部に並んで形成されている。そのため、ワイヤハーネスを構成する電線固定具の固定位置を、予め用意された複数の位置から要求仕様に応じて選択することができる。従って、本発明に係るワイヤハーネスの配線具は、多様な要求仕様に対する適応性に優れている。
【００２８】
また、第２の態様によれば、ワイヤハーネスを構成する電線固定具の固定位置を、基体の底板部の全周囲を取り囲む範囲に亘って並ぶ複数の位置から要求仕様に応じて選択することができる。そのため、電線の接続相手が、配線具の周囲におけるいずれの方向に存在する場合であっても、電線をその接続相手に対して極力近い位置で固定することができる。従って、第２の態様によれば、電線固定位置の選択の自由度がより高まる。
【００２９】
また、第３の態様によれば、基体の底板部から外枠部の電線固定用貫通孔の部分へ亘って配置される電線の通路が確保されるとともに、その通路以外における基体と被覆体との隙間は狭くなる。そのため、基体の底板部上の配線空間に配置された電線が、基体と被覆体との隙間からはみ出すことが防止される。
【００３０】
また、第４の態様に係るワイヤハーネスにおいて、留め具付コネクタは、電線の端部のコネクタが配線具に固定される必要がある場合に採用される。一方、ベルト付留め具は、電線の端部のコネクタが配線具の外側に配置され、電線の端部まで所定の長さを余した中間の部位が配線具に固定される必要がある場合に採用される。第４の態様に係るワイヤハーネスは、電線の端部のコネクタが配線具上に固定される形態及び配線具の外側に配置される形態のいずれにも対応可能であり、電線を保持する形態の選択の自由度が高い。
【００３１】
また、一般に、平板状の部材の真空成形により得られる部材は、樹脂の射出成形により得られる部材よりも簡易に、かつ、低コストで製造できる。従って、第５の態様によれば、配線具の製造工数及び製造コストが低減される。なお、特許文献１に示される平板状のリブを有する基体は、平板状の部材の真空成形によって得ることはできない。
【図面の簡単な説明】
【００３２】
【図１】本発明の実施形態に係る配線具１０の斜視図である。
【図２】本発明の実勢形態に係るワイヤハーネス１００の展開斜視図である。
【図３】ワイヤハーネス１００の平面図である。
【図４】ベルト付留め具の斜視図である。
【図５】留め具付コネクタの斜視図である。
【図６】ワイヤハーネス１００に適用可能な応用例に係る留め具の断面図である。
【発明を実施するための形態】
【００３３】
以下、添付の図面を参照しながら、本発明の実施形態について説明する。以下の実施形態は、本発明を具体化した一例であり、本発明の技術的範囲を限定する事例ではない。
【００３４】
＜概略構成＞
まず、図１から図３を参照しつつ、本発明の実施形態に係る配線具１０及び本発明の実施形態に係るワイヤハーネス１００の構成について説明する。
【００３５】
ワイヤハーネス１００は、複数の電線９からなる電線群と、その電線群に取り付けられた電線固定具と、配線具１０とを備える。ワイヤハーネス１００は、例えば、車両における座席の下方のスペース、天井裏のスペース又はトランクルームなどに取り付けられ、周囲に存在する他の電線又は電装機器と接続される。そのため、ワイヤハーネス１００が備える電線９は、絶縁電線と、その絶縁電線の端部に取り付けられたコネクタ９１とを備えたコネクタ付電線である。
【００３６】
ワイヤハーネス１００において、複数の電線９は、予め定められた形状に保持された状態で、配線具１０によって一体化されている。そのため、ワイヤハーネス１００は、留め具を用いて支持体の貫通孔の部分に簡易に取り付け可能である。
【００３７】
図１から図３に示されるように、配線具１０は、基体１と、それに重ねられる被覆体２とにより構成されている。被覆体２は、基体１との間に複数の電線９の中間部分を挟み込んで基体１に対して組み合わされる。
【００３８】
基体１及び被覆体２は、それらの間に電線９を挟み込む状態で固着され、これにより、配線具１０は、基体１と被覆体２との間に挟み込まれた電線９を予め定められた形状で保持する。
【００３９】
本実施形態において、配線具１０は、板状の樹脂部材が真空成形されることにより得られる部材である。配線具１０は、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）などの樹脂の部材である。
【００４０】
また、基体１及び被覆体２が真空成形により得られる場合、基体１及び被覆体２を構成する樹脂材料としては、用途に応じて、難燃性に優れたポリ塩化ビニル（ＰＶＣ）、伸縮性に優れたポリプロピレン（ＰＰ）、又は剛性に優れたポリエチレンテレフタラート（ＰＥＴ）のいずれかが好ましい。これらの樹脂材料はいずれも安価で容易に入手可能な材料である。
【００４１】
＜基体＞
配線具１０を構成する基体１は、凹凸をなす板状に成形された樹脂部材からなる。前述したように、本実施形態における基体１は、平板状の樹脂部材の真空成形により得られる。図１に示されるように、基体１は、配線部１１と第一外枠部１８と固定用庇部１７とを有している。
【００４２】
基体１を構成する配線部１１は、電線９が配置される配線空間９０に面する板状の部分であり、基体１の底面を形成する底板部であるともいえる。
【００４３】
図１及び図２に示される配線部１１は平板状であるが、配線部１１は、複数の補強用の凸部又は凹部が形成された板状であってもよい。なお、基体１は凹凸をなす板状であるため、基体１において、配線空間９０側における補強用の凸部は、配線空間９０側の反対側においては凹部である。また、基体１において、配線空間９０側における補強用の凹部は、配線空間９０側の反対側においては凸部である。但し、補強用の凸部は、後述する内縁側第一段差部１２Ａの高さよりも低い高さで形成される。
【００４４】
基体１を構成する第一外枠部１８は、配線部１１上の配線空間９０を囲んで隆起して形成された部分であり、基体１の外枠を形成する部分である。図１及び図２に示されるように、第一外枠部１８は、内縁側第一段差部１２Ａ、中間板部１３及び外縁側第一段差部１２Ｂを有する。
【００４５】
第一外枠部１８の内縁側第一段差部１２Ａは、底板を形成する配線部１１の外縁に沿って配線部１１から起立した内縁の段差部である。また、第一外枠部１８の中間板部１３は、内縁側第一段差部１２Ａから外側へ張り出した板状の部分である。中間板部１３には、複数の電線固定用貫通孔１４が並んで形成されている。
【００４６】
電線固定用貫通孔１４は、後述する電線固定具９２，８を構成する留め具７の一部が挿入される貫通孔である。電線固定具９２，８には、留め具付コネクタ９２とベルト付留め具８とが含まれる。これらの詳細については後述する。
【００４７】
また、第一外枠部１８の外縁側第一段差部１２Ｂは、中間板部１３の外縁に沿って形成された外縁の段差部である。第一外枠部１８は、内縁側第一段差部１２Ａ及び外縁側第一段差部１２Ｂの高さの分だけ、配線部１１よりも高く隆起して形成されている。
【００４８】
複数の電線固定用貫通孔１４は、第一外枠部１８における配線部１１の全周囲を取り囲む範囲に亘って、間隔を空けて並んで形成されていることが望ましい。本実施形態においては、複数の電線固定用貫通孔１４は、矩形状の配線部１１を四方から取り囲む矩形状の第一外枠部１８における四辺をなす部分各々に分布して形成されている。即ち、本実施形態における複数の電線固定用貫通孔１４は、配線部１１の周囲の四方を取り囲む範囲に亘って並んで形成されている。
【００４９】
なお、例えば、配線部１１が矩形以外の多角形状に形成され、第一外枠部１８が多角形状の配線部１１をその各辺に対応する方向から取り囲む多角形状である場合には、複数の電線固定用貫通孔１４は、多角形状の第一外枠部１８における各辺をなす部分各々に分布して形成されることが望ましい。
【００５０】
図１に示される例では、内縁側第一段差部１２Ａ及び外縁側第一段差部１２Ｂは、全体が一定の高さで形成されているが、各段差部が、一部に他の部分よりも高く形成された部分を含むことも考えられる。
【００５１】
第一外枠部１８を構成する中間板部１３は、平板状に形成されることの他、平坦な部分と凹部もしくは凸部とが混在する形状で形成されることも考えられる。図１に示される例では、中間板部１３は、平坦な部分と凹部とが混在する形状で形成されている。
【００５２】
また、図１に示されるように、第一外枠部１８における中間板部１３の一部には、仮留め用凹部１６が形成されている。
【００５３】
また、固定用庇部１７は、第一外枠部１８からさらに外側へ張り出した板状の部分である。固定用庇部１７には、配線具固定用貫通孔１７１が形成されている。
【００５４】
配線具固定用貫通孔１７１は、配線具１０が自動車のパネルなどの支持体に取り付けられる際に留め具が通される貫通孔である。留め具が、基体１の配線具固定用貫通孔１７１と支持体に形成された取付孔とに通されることにより、配線具１０は、支持体に固定される。
【００５５】
また、基体１の第一外枠部１８における内縁側第一段差部１２Ａには、配線部１１から複数の電線固定用貫通孔１４各々へ亘る電線９の通路をなす複数の溝状の部分である配線溝１５が形成されている。
【００５６】
＜被覆体＞
配線具１０を構成する被覆体２は、凹凸をなす板状に成形された樹脂部材からなる。この被覆体２は、基体１と組み合わされることにより、基体１における配線部１１上の配線空間９０を覆う部材である。前述したように、本実施形態における被覆体２は、基体１と同様に、平板状の樹脂部材の真空成形により得られる。図１及び図２に示されるように、被覆体２は、対向壁部２１と第二段差部２２と第二外枠部２３とを有している。さらに、被覆体２は、第二外枠部２３の一部に形成された複数の仮留め用凸部２６も有している。
【００５７】
なお、以下の説明において、被覆体２の構成要素の位置又は形状が、基体１と関連付けて説明される場合、被覆体２が基体１に対して重ねられて組み合わされた状態を前提としている。
【００５８】
被覆体２を構成する対向壁部２１は、基体１の配線部１１に対して配線空間９０を隔てて対向する部分である。本実施形態における対向壁部２１は、その全体が平板状に形成されている。しかしながら、対向壁部２１は、基体１の配線部１１と同様に、複数の補強用の凸部又は凹部が形成された板状であってもよい。
【００５９】
被覆体２を構成する第二段差部２２は、対向壁部２１の外縁に沿って形成されるとともに対向壁部２１から基体１の反対側へ起立して段差を形成する部分である。即ち、被覆体２における対向壁部２１及び第二段差部２２の全体は、基体１側へ凸状に形成されている。なお、被覆体２における対向壁部２１及び第二段差部２２の全体が、基体１側に対して反対側へ凸状に形成されることも考えられる。
【００６０】
被覆体２を構成する第二外枠部２３は、第二段差部２２の外縁に沿って形成された部分であり、被覆体２の外縁部分をなす。第二外枠部２３は、平板状に形成されることの他、平坦な部分と凹部もしくは凸部とが混在する形状で形成されることも考えられる。図１に示される例では、第二外枠部２３の一部に、基体１側へ突出する凸部である仮留め用凸部２６が形成されている。なお、被覆体２に形成された仮留め用凸部２６についての説明は後に示す。
【００６１】
また、被覆体２の第二段差部２２における、基体１の内縁側第一段差部１２Ａに形成された複数の配線溝１５に対向する位置には、配線溝１５とともに配線部１１から複数の電線固定用貫通孔１４各々へ亘る電線９の通路をなす複数の溝状の部分である配線溝２５が形成されている。
【００６２】
＜仮留め機構＞
基体１における第一外枠部１８の中間板部１３の一部には、仮留め用凹部１６が形成されている。図１及び図２に示される例では、４つの仮留め用凹部１６が、第一外枠部１８の中間板部１３における四隅に形成されている。仮留め用凹部１６は、被覆体２側に開口する窪みを形成する部分である。
【００６３】
一方、被覆体２における第二外枠部２３の一部には、基体１の仮留め用凹部１６に嵌り込む仮留め用凸部２６が形成されている。図１及び図２に示される例では、４つの仮留め用凸部２６が、４つの仮留め用凹部１６各々に対向する位置に形成されている。
【００６４】
配線具１０において、基体１の一部に形成された仮留め用凹部１６及び被覆体２の一部に形成された仮留め用凸部２６は、被覆体２を基体１に対して留める仮留め機構を構成している。
【００６５】
仮留め用凸部２６の側面の外形は、わずかに圧縮した状態で仮留め用凹部１６の内壁面に内接する形状で形成されている。これにより、仮留め用凸部２６が、仮留め用凹部１６へ押し入れられると、仮留め用凸部２６の側面と仮留め用凹部１６の内壁面との摩擦抵抗により、被覆体２は、基体１の配線部１１を覆う状態で基体１に対して留められる。
【００６６】
以上に示したように、仮留め用凹部１６及び仮留め用凸部２６は、凸部と凹部との嵌め合い構造により、被覆体２を基体１に対して配線部１１を覆う状態で留める仮留め機構を構成している。
【００６７】
なお、図１に示される例では、仮留め用凹部１６が基体１側に設けられ、仮留め用凸部２６が被覆体２側に設けられているが、その逆の構成も考えられる。即ち、仮留め用凹部１６が被覆体２側に設けられ、仮留め用凸部２６が基体１側に設けられてもよい。また、基体１及び被覆体２の各々において、仮留め用凹部１６と仮留め用凸部２６とが混在してもよい。
【００６８】
＜ワイヤハーネス＞
図２及び図３に示されるように、ワイヤハーネス１００は、複数の電線９からなる電線群と、その電線群に取り付けられた電線固定具９２，８と、配線具１０とを備える。電線固定具９２，８には、留め具付コネクタ９２と、ベルト付留め具８とが含まれる。
【００６９】
ワイヤハーネス１００において、複数の電線９の中間部分は、基体１の配線部１１上の配線空間９０に配置されている。また、電線９における端部のコネクタ９１は、基体１の外側に配置される。
【００７０】
コネクタ９１が設けられた電線９は、基体１における配線部１１から第一外枠部１８における電線固定用貫通孔１４の部分を通過して第一外枠部１８の外側へ亘って配置されている。また、その電線９における端部のコネクタ９１まで所定の長さを余した中間の部位が、ベルト付留め具８により第一外枠部１８の電線固定用貫通孔１４の部分に固定されている。
【００７１】
一方、電線９の端部に取り付けられた留め具付コネクタ９２は、基体１の第一外枠部１８における電線固定用貫通孔１４の部分に固定される。
【００７２】
また、ワイヤハーネス１００の配線具１０において、電線９に取り付けられた電線固定具９２，８の数以上の数の電線固定用貫通孔１４が、基体１の第一外枠部１８に並んで形成されている。
【００７３】
図２及び図３に示される例では、電線９に取り付けられた電線固定具９２，８の数よりも多くの電線固定用貫通孔１４が、基体１の第一外枠部１８に並んで形成されている。即ち、図２及び図３に示される例では、複数の電線固定用貫通孔１４のうちの一部は、未使用の状態である。
【００７４】
＜ベルト付留め具＞
図４は、電線固定具の一例であるベルト付留め具８の斜視図である。ベルト付留め具８は、留め具７と、ベルト保持部６０と、ベルト６５とを備える。ベルト付留め具８は、例えば、ポリプロピレン（ＰＰ）又はポリアミド（ＰＡ）などの熱可塑性樹脂からなる一体成型部材である。
【００７５】
＜ベルト＞
ベルト６５は、電線９に巻き付けられる部材である。ベルト６５の一方の面には、複数の凹部６５１が、ベルト６５の長手方向に沿って並んで形成されている。
【００７６】
＜留め具＞
留め具７は、板材における貫通孔が形成された部分、例えば、基体１の第一外枠部１８における電線固定用貫通孔１４が形成された部分に固定される部分である。留め具７は、板材の貫通孔である取付孔に挿入される挿入部７１と、ベルト保持部６０が固定されたフランジ部７２とを有している。留め具７は、挿入部７１とフランジ部７２とにより、取付孔の縁部を把持する。
【００７７】
フランジ部７２における一方の面にベルト保持部６０が固定され、他方の面に挿入部７１が立設されている。フランジ部７２は、取付孔を塞ぐように、取付孔の面積よりも大きな面積で形成されている。例えば、フランジ部７２は、長孔である電線固定用貫通孔１４とほぼ相似な形状で電線固定用貫通孔１４よりも一回り大きな面を有する皿状に形成されている。
【００７８】
挿入部７１は、フランジ部７２の一方の面に立設された柱部７１１と、その柱部７１１の両側に張り出して設けられた２つの張出部７１２とを備える。２つの張出部７１２は、可撓性を有し、柱部７１１の両側に張り出した幅が、取付孔（電線固定用貫通孔１４）の幅よりも大きな幅で形成されている。
【００７９】
挿入部７１が取付孔に挿入される際に、２つの張出部７１２は、取付孔の縁部に接して押圧され、柱部７１１の両側に張り出す幅が、取付孔の幅まで収縮する。挿入部７１が取付孔の内側へさらに押し込められると、２つの張出部７１２の形状は、取付孔の縁部の裏側において、取付孔の幅よりも大きな幅になるまで復帰する。その結果、２つの張出部７１２各々の外側に形成された爪部７１２Ａが、取付孔の縁部の裏側に引っ掛かり、爪部７１２Ａとフランジ部７２とが、取付孔の縁部を表裏両側から挟み込む。その結果、留め具７が板材の取付孔の部分に固定される。
【００８０】
＜ベルト保持部＞
ベルト保持部６０は、ベルト６５と留め具７とを連結する部分である。ベルト保持部６０には、ベルト６５の一端（固定端）が固定されている。このベルト保持部６０は、ベルト６５の一部と引っ掛かることにより、電線９に巻き付けられたベルト６５を環状に保持する部分である。
【００８１】
より具体的には、ベルト保持部６０は、ベルト６５がその自由端から挿入される貫通孔であるベルト通し孔６４を形成する枠状に形成されている。また、ベルト保持部６０の一部は、ベルト通し孔６４の周囲の壁の一部を形成し、片持ち梁状に支持された変位部６２を構成している。変位部６２は、その可撓性により、ベルト通し孔６４の高さ方向において変位可能である。ベルト通し孔６４の高さ方向は、ベルト通し孔６４に通されたベルト６５の厚み方向に相当する。
【００８２】
図４に示されるように、変位部６２におけるベルト通し孔６４側の面には、ベルト６５の凹部６５１に嵌り込むベルト規制部６３が突設されている。ベルト６５がその自由端からベルト通し孔６４に通された場合に、ベルト規制部６３は、変位部６２の弾性力によってベルト６５側へ押圧され、ベルト６５の凹部６５１に嵌り込む。これにより、ベルト規制部６３は、ベルト通し孔６４から抜ける方向へのベルト６５の動きを規制する。
【００８３】
ベルト規制部６３によりベルト６５の動きが規制されると、電線９に巻き付けられたベルト６５は、電線９の外周面に密着する状態で保持される。即ち、変位部６２及びベルト規制部６３は、電線９の周囲に巻かれたベルト６５の輪の大きさを保持する機能を有する。なお、ベルト規制部６３は、ベルト６５がベルト通し孔６４に挿入される方向に移動したときにのみ凹部６５１から外れやすくなるように、ベルト通し孔６４におけるベルト６５の入口側の面が傾斜面となっている。
【００８４】
ベルト付留め具８のベルト６５は、留め具７の無いコネクタ９１が設けられた電線９における、その端部のコネクタ９１まで所定の長さを余した中間の部位に巻き付けられた状態で保持される。さらに、電線９に取り付けられたベルト付留め具８の留め具７が、第一外枠部１８の電線固定用貫通孔１４の部分に固定される。その際、ベルト付留め具８における留め具７の挿入部７１が、電線固定用貫通孔１４に挿入される。
【００８５】
＜留め具付コネクタ＞
図５は、電線固定具の一例である留め具付コネクタ９２の斜視図である。留め具付コネクタ９２は、電線９の端部に取り付けられたコネクタ９１とコネクタ９１に連結又は固着された留め具７とにより構成されている。なお、留め具付コネクタ９２の留め具７は、ベルト付留め具８の留め具７と同じ構造を備える。
【００８６】
電線９の端部に取り付けられた留め具付コネクタ９２は、第一外枠部１８の電線固定用貫通孔１４の部分に固定される。その際、留め具付コネクタ９２における留め具７の挿入部７１が、電線固定用貫通孔１４に挿入される。
【００８７】
＜留め具の応用例＞
図６は、図４及び図５に示される留め具７とは構造が異なる応用例に係る留め具７Ａの断面図である。図６（ａ）は、配線具１０の第一外枠部１８に固定される前の留め具７Ａ及び第一外枠部１８の断面図である。図６（ｂ）は、配線具１０の第一外枠部１８に固定された後の留め具７Ａ及び第一外枠部１８の断面図である。
【００８８】
図６（ａ）に示されるように、留め具７Ａは、電線固定具の本体部分から突出して形成された突起部である。さらに、留め具７Ａは、その側方へ張り出して形成された爪部７２Ａを有する。電線固定具の本体部分は、ベルト付留め具８においてはベルト保持部６０であり、留め具付コネクタ９２においてはコネクタ９１である。
【００８９】
留め具７Ａは、第一外枠部１８の電線固定用貫通孔１４に挿入される。これにより、爪部７２Ａが電線固定用貫通孔１４の縁部に引っ掛かり、留め具７Ａが、第一外枠部１８に仮留めされる。
【００９０】
そして、図６（ａ）に示されるように、ヒータ７０１を内蔵したプレス工具７００などの加熱具が、電線固定用貫通孔１４に挿入された留め具７Ａの頭頂部分７１Ａに押し当てられる。これにより、留め具７Ａの頭頂部分７１Ａは、溶融してより薄く拡大し、その輪郭形状が電線固定用貫通孔１４よりも大きな頭頂部分７１Ｂへ変形する。その結果、大きくなった留め具７Ａの頭頂部分７１Ｂが留め具７Ａの抜け止め部をなし、留め具７Ａが、第一外枠部１８における電線固定用貫通孔１４の部分に固定される。ワイヤハーネス１００において、図６に示されるような留め具７Ａが採用されることも考えられる。
【００９１】
ワイヤハーネス１００において、基体１及び被覆体２は、配線部１１に配置された複数の電線９の中間部分を配線部１１と対向壁部２１との間に挟み込んで組み合わされた状態で固着されている。本実施の形態では、仮留め用凹部１６及び仮留め用凸部２６における相互に接触する部分が、超音波溶接などのスポット加熱の装置により溶着され、被覆体２が基体１に対して固着されている。これにより、被覆体２は、基体１との間に複数の電線９の中間部分を挟み込んで基体１に対して組み合わされた状態で保持されている。
【００９２】
例えば、仮留め用凸部２６が仮留め用凹部１６に嵌め入れられたときに、仮留め用凹部１６の底面と仮留め用凸部２６の頭頂面とが接触することが考えられる。この場合、仮留め用凹部１６の底面と仮留め用凸部２６の頭頂面とが接触する部分に溶着部が形成される。
【００９３】
＜効果＞
ワイヤハーネス１００において、電線９は、配線具１０を構成する基体１及び被覆体２の間に挟み込まれるとともに、基体１の電線固定用貫通孔１４の部分に固定された電線固定具９２，８によって、基体１の第一外枠部１８における予め定められた位置に固定される。
【００９４】
従って、配線具１０が取り付けられた電線９において、電線固定具９２，８で固定された部分は一定の位置に保持され、さらに、電線固定具９２，８で固定された部分から末端側の部分の長さは一定の長さで保持される。即ち、電線９の端部が接続相手に対して過不足なく届くように、電線９の形状が配線具１０によって保持される。また、電線９は、基体１及び被覆体２によって保護される。
【００９５】
また、ワイヤハーネス１００において、電線９における基体１の配線部１１上に配置された部分、即ち、基体１の第一外枠部１８に至るまでの途中の部分は、基体１の配線部１１と被覆体２との間の広い配線空間９０内に収容される。
【００９６】
従って、電線９を基体１の配線部１１上に配置する作業において、配線部１１上の任意の経路での配線が許容され、電線９が配線部１１から浮き上がっていても、被覆体２を基体１に重ねて押し付けるだけで、電線９は基体１の配線部１１と被覆体２との間の配線空間９０に収容される。即ち、基体１の配線部１１から浮き上がる電線９を配線部１１に対して押さえ込みつつ電線９を配線するという煩雑な作業は不要である。
【００９７】
また、電線９における固定を要する部分に取り付けられた電線固定具９２，８が、基体１の第一外枠部１８における予め定められた位置の電線固定用貫通孔１４の部分に固定された後、被覆体２が基体１に組み合わされるだけで、電線９に対する配線具１０の取り付けが完了する。従って、配線具１０が採用されることにより、電線９を予め定められた形状に保持するための部材及び作業と、電線９の被保護部（中間部分）を覆うための部材及び作業とが簡素化される。
【００９８】
また、基体１の第一外枠部１８において、内縁側第一段差部１２Ａ及び外縁側第一段差部１２Ｂは、基体１全体の剛性、特に、第一外枠部１８の剛性を高める補強部として機能する。ワイヤハーネス１００において、電線固定具９２，８は、そのような剛性の高い基体１の第一外枠部１８に固定される。そのため、ワイヤハーネス１００の配線具１０は、電線９を一定の形状に保持する性能（剛性）に優れている。
【００９９】
さらに、配線具１０において、電線固定具９２，８の数以上の複数の電線固定用貫通孔１４が、基体１の第一外枠部１８に並んで形成されている。そのため、ワイヤハーネス１００を構成する電線固定具９２，８の固定位置を、予め用意された複数の位置から要求仕様に応じて選択することができる。従って、配線具１０は、多様な要求仕様に対する適応性に優れている。
【０１００】
また、配線具１０において、複数の前記電線固定用貫通孔１４は、第一外枠部１８における配線部１１の全周囲を取り囲む範囲に亘って並んで形成されている。そのような配線具１０が採用されることにより、電線の接続相手が、配線具１０の周囲におけるいずれの方向に存在する場合であっても、電線９をその接続相手に対して極力近い位置で固定することができる。その結果、電線固定位置の選択の自由度がより高まる。
【０１０１】
また、配線具１０においては、電線９の通路をなす配線溝１５，２５が、基体１の内縁側第一段差部１２Ａ及び被覆体２の第二段差部２２に形成されている。これにより、基体１の配線部１１から第一外枠部１８の電線固定用貫通孔１４の部分へ亘って配置される電線９の通路が確保されるとともに、その通路以外における基体１と被覆体２との隙間は狭くなる。そのため、基体１の配線部１１上の配線空間９０に配置された電線９が、基体１と被覆体２との隙間からはみ出すことが防止される。
【０１０２】
また、ワイヤハーネス１００において、留め具付コネクタ９２及びベルト付留め具８の一方または両方が、電線固定具として採用される。そのようなワイヤハーネス１００は、電線９の端部のコネクタが配線具１０上に固定される形態及び配線具１０の外側に配置される形態のいずれにも対応可能であり、電線９を保持する形態の選択の自由度が高い。
【０１０３】
また、一般に、平板状の部材の真空成形により得られる部材は、樹脂の射出成形により得られる部材よりも簡易に、かつ、低コストで製造できる。配線具１０は、平板状の部材の真空成形により得られた部材であるため、製造工数及び製造コストが低減される。
【０１０４】
＜その他＞
配線具１０における基体１及び被覆体２が、樹脂の射出成形により得られる部材であることも考えられる。但し、配線具１０は、上下方向（一次元方向）においてのみ凹凸をなす板状に成形された部材であり、板状の樹脂部材に対する真空成形によって容易に得られる部材である。従って、製造工数及び製造コストの面において、配線具１０は、平板状の部材の真空成形により得られる部材であることが望ましい。
【０１０５】
配線具１０においては、基体１及び被覆体２は個別の部材であるが、基体１及び被覆体２が、弾性的に曲げ変形可能な接続部を介して連なって構成されることも考えられる。
【０１０６】
また、配線具１０において、被覆体２が平板状の部材であることも考えられる。但し、この場合、基体１側に、基体１と被覆体２との間隔を保持するスペーサとなる突起部が形成されることが望ましい。
【０１０７】
また、配線具１０において、第一外枠部１８における複数の電線固定用貫通孔１４が形成される範囲が、配線部１１の全周囲のうちの一部の範囲であることも考えられる。例えば、基体１及び被覆体２が、曲げ変形可能な接続部を介して連なって構成される場合、複数の電線固定用貫通孔１４が形成される範囲は、配線部１１の全周囲のうち、接続部が形成された範囲を除く残りの範囲であることが考えられる。
【符号の説明】
【０１０８】
１  基体
２  被覆体
７，７Ａ  留め具
８  ベルト付留め具（電線固定具）
９  電線
１０  配線具
１１  配線部（底板部）
１２Ａ  内縁側第一段差部（内縁の段差部）
１２Ｂ  外縁側第一段差部（外縁の段差部）
１３  中間板部
１４  電線固定用貫通孔
１５，２５  配線溝（溝状の部分）
１６  仮留め用凹部
１７  固定用庇部
１７１  配線具固定用貫通孔
１８  第一外枠部（基体の外枠部）
２１  対向壁部
２２  第二段差部
２３  第二外枠部
２６  仮留め用凸部
６０  ベルト保持部
６２  変位部
６３  ベルト規制部
６４  ベルト通し孔
６５  ベルト
７１  挿入部
７１Ａ，７１Ｂ  頭頂部分
７２  フランジ部
７２Ａ  爪部
９０  配線空間
９１  コネクタ
９２  留め具付コネクタ（電線固定具）
１００  ワイヤハーネス
１７１  配線具固定用貫通孔
６５１  ベルトの凹部
７００  プレス工具
７０１  ヒータ
７１１  柱部
７１２  張出部
７１２Ａ  爪部
【図１】
2013123294.tif 000003
【図２】
2013123294.tif 000004
【図３】
2013123294.tif 000005
【図４】
2013123294.tif 000006
【図５】
2013123294.tif 000007
【図６】
2013123294.tif 000008